(57)【特許請求の範囲】
【請求項１】
水を供給する水供給源と、次亜（又は亜）塩素酸ナトリウム水溶液を貯蔵している次亜（又は亜）塩素酸ナトリウムタンクと、該次亜（又は亜）塩素酸ナトリウムタンクの含次亜（又は亜）塩素酸ナトリウム水溶液を供給する次亜（又は亜）塩素酸ナトリウム注入ポンプと、該水供給源から供給された水及び該次亜（又は亜）塩素酸ナトリウムタンクから供給された含次亜（又は亜）塩素酸ナトリウム水溶液を混合させる次亜（又は亜）塩素酸ナトリウム希釈部と、酸水溶液を貯蔵している酸水溶液タンクと、該酸水溶液タンクの酸水溶液を供給する酸水溶液注入ポンプと、該水供給源から供給された水及び該酸水溶液タンクから供給された酸水溶液を混合させる酸水溶液希釈部と、炭酸水素ナトリウムを貯蔵している炭酸水素ナトリウムタンクと、該炭酸水素ナトリウムタンクから炭酸水素ナトリウム水溶液を供給する炭酸水素ナトリウム注入ポンプと、該水供給源から供給された水及び該炭酸水素ナトリウムタンクから供給された炭酸水素ナトリウムを混合して炭酸水素ナトリウム希釈水を生成し、該炭酸水素ナトリウム希釈水を前記次亜（又は亜）塩素酸ナトリウム希釈部に供給する炭酸水素ナトリウム希釈部と、該水供給源から該次亜（又は亜）塩素酸ナトリウム希釈部及び該酸水溶液希釈部に供給される水量を測定する流量計と、該流量計で得られた水の流量データと、あらかじめ定めた水量及び含次亜（又は亜）塩素酸ナトリウム水溶液供給量との関係から必要な含次亜（又は亜）塩素酸ナトリウム水溶液の供給量を算出して該次亜（又は亜）塩素酸ナトリウム注入ポンプから必要な量の含次亜（又は亜）塩素酸ナトリウム水溶液を供給させる次亜（又は亜）塩素酸ナトリウム注入ポンプ制御部と、該流量計で得られた水の流量データと、あらかじめ定めた水量及び酸水溶液供給量との関係から必要な酸水溶液の供給量を算出して酸水溶液注入ポンプから必要な量の酸水溶液を供給させる酸水溶液注入ポンプ制御部と、該流量計の計測値と、あらかじめ定めた水量及び炭酸水素ナトリウム水溶液の量との関係から必要な炭酸水素ナトリウム水溶液の量を算出して該炭酸水素ナトリウム注入ポンプから必要な量の炭酸水素ナトリウム水溶液を供給させる炭酸水素ナトリウム注入ポンプ制御部と、該次亜（又は亜）塩素酸ナトリウム希釈部から供給された次亜（又は亜）塩素酸ナトリウム希釈水及び該酸水溶液希釈部から供給された酸水溶液希釈水を混合・反応させる混合反応部と、該混合反応部で生成された殺菌水のｐＨ値を測定するｐＨ値測定装置と、該水供給源から該次亜（又は亜）塩素酸ナトリウム希釈部及び該酸水溶液希釈部に供給される水の給水を停止させる給水停止弁と、該ｐＨ値測定装置によって得られたｐＨ値が所定値以下又は所定値以上となった場合に該給水停止弁を閉状態にさせる給水停止弁制御部とを備えたことを特徴とする殺菌水の連続生成装置。
【請求項２】
前記次亜（又は亜）塩素酸ナトリウム希釈部が、外殻筒と、該外殻筒内に略同軸に挿入された内殻筒とを備え、該内殻筒が周面に複数個の孔を有し、含次亜（又は亜）塩素酸ナトリウム水溶液と水が該内殻筒の該複数個の孔を通って該内殻筒と該外殻筒の間の空間内に放出されるようになっていることを特徴とする請求項１に記載の殺菌水の連続生成装置。
【請求項３】
前記酸水溶液希釈部が、外殻筒と、該外殻筒内に略同軸に挿入された内殻筒とを備え、該内殻筒が周面に複数個の孔を有し、酸水溶液と水が該内殻筒の該複数個の孔を通って該内殻筒と該外殻筒の間の空間内に放出されるようになっていることを特徴とする請求項１又は２に記載の殺菌水の連続生成装置。
【請求項４】
前記混合反応部が、外殻筒と、該外殻筒内に略同軸に挿入された内殻筒とを備え、該内殻筒が周面に複数個の孔を有し、該内殻筒の一方の端部側が前記次亜（又は亜）塩素酸ナトリウム希釈部につながり、該外殻筒の側部が前記酸水溶液希釈部につながり、該次亜（又は亜）塩素酸ナトリウム希釈部で生成された次亜（又は亜）塩素酸ナトリウム希釈水が該内殻筒の該複数個の孔を通って該内殻筒と該外殻筒の間の空間内に放出され、該酸水溶液希釈部で生成された酸水溶液希釈水が該内殻筒と該外殻筒の間の空間内に直接流入するようになっていることを特徴とする請求項１〜３のいずれかに記載の殺菌水の連続生成装置。
【請求項５】
前記混合反応部が、外殻筒と、該外殻筒内に略同軸に挿入された内殻筒とを備え、該内殻筒が周面に複数個の孔を有し、該内殻筒の一方の端部側が前記酸水溶液希釈部につながり、該外殻筒の側部が次亜（又は亜）塩素酸ナトリウム希釈部につながり、前記酸水溶液希釈部で生成された酸水溶液希釈水が該内殻筒の該複数個の孔を通って該内殻筒と該外殻筒の間の空間内に放出され、前記次亜（又は亜）塩素酸ナトリウム希釈部で生成された次亜（又は亜）塩素酸ナトリウム希釈水が該内殻筒と該外殻筒の間の空間内に直接流入するようになっていることを特徴とする請求項１〜３のいずれかに記載の殺菌水の連続生成装置。
【請求項６】
前記次亜（又は亜）塩素酸ナトリウムポンプから前記次亜（又は亜）塩素酸ナトリウムタンクに含次亜（又は亜）塩素酸ナトリウム水溶液を戻す次亜（又は亜）塩素酸ナトリウム戻し管路と、該次亜（又は亜）塩素酸ナトリウム戻し管路に設けられた次亜（又は亜）塩素酸ナトリウム戻し弁と、前記ｐＨ値測定装置によって得られたｐＨ値が所定値以下となった場合に該次亜（又は亜）塩素酸ナトリウム戻し弁を所定時間開状態にした後、閉状態にする次亜（又は亜）塩素酸ナトリウム戻し弁制御部とを備えたことを特徴とする請求項１〜５のいずれかに記載の殺菌水の連続生成装置。
【請求項７】
前記酸水溶液ポンプから前記酸水溶液タンクに酸水溶液を戻す酸水溶液戻し管路と、該酸水溶液戻し管路に設けられた酸水溶液戻し弁と、前記ｐＨ値測定装置によって得られたｐＨ値が所定値以上となった場合に該酸水溶液酸水溶液戻し弁を所定時間開状態にした後、閉状態にする酸水溶液戻し弁制御部とを備えたことを特徴とする請求項１〜６のいずれかに記載の殺菌水の連続生成装置。
【請求項８】
設定した所定の時間帯に前記次亜（又は亜）塩素酸ナトリウムポンプを停止させた状態で、前記酸水溶液ポンプを駆動させて一定流量の酸水溶液を注入させ、殺菌水を一定流量で生成・排出させ、該殺菌水のｐＨ値を前記ｐＨ測定装置で測定し、予め設定した基準ｐＨ値からのずれを検出した場合に、該ｐＨ測定装置に関する指示及び／又は警報を表示部に表示させるｐＨ測定装置管理部を備えたことを特徴とする請求項１〜７のいずれかに記載の殺菌水の連続生成装置。
【請求項９】
設定した所定の時間帯に前記酸水溶液ポンプを駆動させて一定流量の酸水溶液を注入させ、前記次亜（又は亜）塩素酸ナトリウムポンプを駆動させて一定流量の含次亜（又は亜）塩素酸ナトリウム水溶液を注入させ、殺菌水を一定流量で生成・排出させ、該殺菌水のｐＨ値を前記ｐＨ測定装置で測定し、予め設定した基準ｐＨ値になるように含次亜（又は亜）塩素酸ナトリウム水溶液の注入量を調整する次亜（又は亜）塩素酸ナトリウム量制御部を備えたことを特徴とする請求項１〜８のいずれかに記載の殺菌水の連続生成装置。
【請求項１０】
前記炭酸水素ナトリウム希釈部が、外殻筒と、該外殻筒内に略同軸に挿入された内殻筒とを備え、該内殻筒が周面に複数個の孔を有し、炭酸水素ナトリウム水溶液と水が該内殻筒の該複数個の孔を通って該内殻筒と該外殻筒の間の空間内に放出されるようになっていることを特徴とする請求項１〜９のいずれかに記載の殺菌水の連続生成装置。
【請求項１１】
前記次亜（又は亜）塩素酸ナトリウムタンク、前記酸水溶液タンク及び前記炭酸水素ナトリウムタンクの全部又は一部に液なしセンサーが各々取り付けられ、少なくともいずれかの液なしセンサーが液なしを検知した場合、前記給水停止弁制御部が液なしセンサーからの液なしの信号で前記給水停止弁を閉状態にするようになっていることを特徴とする請求項１〜１０のいずれかに記載の殺菌水の連続生成装置。
【発明の詳細な説明】
【０００１】
【発明の属する技術分野】
この発明はｐＨ値が弱酸性域に保たれた次亜（又は亜）塩素酸ナトリウム希釈水からなる殺菌水の連続生成装置に関するものである。
【０００２】
【従来の技術】
医療施設や食品業では、次亜塩素酸ナトリウムを水道水などで一定濃度に希釈して形成した次亜塩素酸ナトリウム希釈水が殺菌水として広く使用されている。そして、この次亜塩素酸ナトリウム希釈水に食酢を少量添加し、そのｐＨ値を弱酸性にすることで殺菌力が増強されることが知られている。このことは、食品衛生指導書や、「浄水の技術」丹保憲仁・小笠原紘一  共著  技報堂出版の中でも紹介されている。
【０００３】
この従来から知られている技術をプラント化したものが特開平９−２９５９１１号公報、特開平１０−１８２３２５号公報、特開平４−９４７９３号公報などに提案されている。
【０００４】
【発明が解決しようとする課題】
ところで、次亜塩素酸ナトリウム希釈水の殺菌力はｐＨが弱酸性域で大きく、ｐＨがアルカリ性になるに従って大きく低下するので、所望の殺菌効果を得るためには次亜塩素酸ナトリウム希釈水のｐＨを弱酸性域に厳格に保っておかなければならない。
【０００５】
しかし、上記従来の装置を医療施設や食品業などで実際に使用する場合、希釈水である水道水などの水圧や水量などに変動があることが多く、水圧や水量などが変動するたびに薬液注入のタイミングがずれ、生成する次亜塩素酸ナトリウム希釈水の濃度やｐＨ値が変化し、生成された殺菌水の持つ殺菌力が著しく低下している場合がある。
【０００６】
また、殺菌水の連続生成装置で生成された殺菌水が複数個の蛇口から吐出されるようになっている場合、複数個の蛇口を同時に開いたり、１個の蛇口だけを開いたりするので、吐水側の流速の変化などが大きく変化し、薬液注入のタイミングがずれ、次亜塩素酸ナトリウム希釈水の濃度やｐＨ値が変化し、生成された殺菌水の持つ殺菌力が著しく低下している場合がある。
【０００７】
ところが、医療従事者や食品業従事者等は、殺菌水の殺菌力を信じて殺菌水を使用しているので、そのような場合は結果的に殺菌されていない手で作業を行なってしまったり、殺菌力の著しく低い殺菌水で器具や食品等を洗浄することになり、院内感染や食中毒などの事故を生じさせてしまうおそれがある。
【０００８】
また、殺菌水を低流量で使用している場合、次亜塩素酸ナトリウムとｐＨ調整用の酸では、比重や粘性が違うため、混合比率が変化し、希釈水に溶けやすく比重が軽い酸が先行して混合される傾向があり、その際は水溶液のｐＨ値が極端に低下し、危険な塩素ガスを発生させるおそれがある。
【０００９】
また、注入薬剤として使用している次亜塩素酸ナトリウムは、それ自体の性質として、含有する塩素濃度が時間とともに急激に低下し、特に使用繁忙期である夏季には温度上昇により塩素濃度劣化速度が著しく速まり、生成された殺菌水が所望の殺菌力を有していないおそれがある。
【００１０】
また、次亜塩素酸ナトリウム水溶液の殺菌力の要であるｐＨ値を測定するｐＨ値測定装置は、接液部に使用する比較電極が一年程度の期間で寿命になるか、定期的な標準ｐＨ値校正作業が必要となるが、いまだその時期を自動検知する技術が確立されていないため、予測的な作業しかなく、ｐＨ値測定装置に対する信頼性に問題があり、従って、殺菌水の殺菌力に対する信頼性に問題がある。
【００１１】
また、従来の次亜塩素酸ナトリウム水溶液で効果があまり無いとされたカビ類、真菌類の殺菌は、同水溶液をｐＨ調整することで改善はしているが、衛生管理上でカビ類、真菌類の安定した殺菌は今後不可欠であり、なお一層の効果増強が急務である。
【００１２】
また、次亜塩素酸ナトリウムは希釈水である水道水などに含まれる炭酸水素カルシウム等と次亜塩素酸ナトリウム溶液中の水酸化ナトリウムとの反応によって、カルシウム成分等の析出が起こり、次亜塩素酸ナトリウムの注入部に析出・固着し、注入部を閉塞させるという問題がある。
【００１３】
【課題を解決するための手段】
この発明に係る殺菌水の連続生成装置は、水を供給する水供給源と、含次亜（又は亜）塩素酸ナトリウム水溶液を貯蔵している次亜（又は亜）塩素酸ナトリウムタンクと、該次亜（又は亜）塩素酸ナトリウムタンクの含次亜（又は亜）塩素酸ナトリウム水溶液を供給する次亜（又は亜）塩素酸ナトリウム注入ポンプと、該水供給源から供給された水及び該次亜（又は亜）塩素酸ナトリウムタンクから供給された含次亜（又は亜）塩素酸ナトリウム水溶液を混合させる次亜（又は亜）塩素酸ナトリウム希釈部と、酸水溶液を貯蔵している酸水溶液タンクと、該酸水溶液タンクの酸水溶液を供給する酸水溶液注入ポンプと、該水供給源から供給された水及び該酸水溶液タンクから供給された酸水溶液を混合させる酸水溶液希釈部と、該水供給源から該次亜（又は亜）塩素酸ナトリウム希釈部及び該酸水溶液希釈部に供給される水量を測定する流量計と、該流量計で得られた水の流量データと、あらかじめ定めた水量及び含次亜（又は亜）塩素酸ナトリウム水溶液供給量との関係から必要な含次亜（又は亜）塩素酸ナトリウム水溶液の供給量を算出して該次亜（又は亜）塩素酸ナトリウム注入ポンプから必要な量の含次亜（又は亜）塩素酸ナトリウム水溶液を供給させる次亜（又は亜）塩素酸ナトリウム注入ポンプ制御部と、該流量計で得られた水の流量データと、あらかじめ定めた水量及び酸水溶液供給量との関係から必要な酸水溶液の供給量を算出して酸水溶液注入ポンプから必要な量の酸水溶液を供給させる酸水溶液注入ポンプ制御部と、該次亜（又は亜）塩素酸ナトリウム希釈部から供給された次亜（又は亜）塩素酸ナトリウム希釈水及び該酸水溶液希釈部から供給された酸水溶液希釈水を混合・反応させる混合反応部と、該混合反応部で生成された殺菌水のｐＨ値を測定するｐＨ値測定装置と、該水供給源から該次亜（又は亜）塩素酸ナトリウム希釈部及び該酸水溶液希釈部に供給される水の給水を停止させる給水停止弁と、該ｐＨ値測定装置によって得られたｐＨ値が所定値以下又は所定値以上となった場合に該給水停止弁を閉状態にさせる給水停止弁制御部とを備えたことを特徴とするものである。
【００１４】
ここで、前記含次亜（又は亜）塩素酸ナトリウム水溶液としては低食塩タイプのものが好ましい。また、前記酸水溶液としては例えば希塩酸、酢酸、クエン酸等の水溶液を使用することができるが、人体に無害なものであればこれら以外の酸水溶液を使用してもよい。
【００１５】
前記次亜（又は亜）塩素酸ナトリウム希釈部及び前記酸水溶液希釈部としては、外殻筒と、該外殻筒内に略同軸に挿入された内殻筒とを備え、該内殻筒が周面に複数個の孔を有し、薬液｛含次亜（又は亜）塩素酸ナトリウム水溶液又は酸水溶液｝と水が該内殻筒の一方の端部から内部に入り、該複数個の孔を通って該内殻筒と該外殻筒の間の空間内に放出されるようになっているものを使用することができる。
【００１６】
また、前記混合反応部としては、外殻筒と、該外殻筒内に略同軸に挿入された内殻筒とを備え、該内殻筒が周面に複数個の孔を有し、該内殻筒の一方の端部側が前記次亜（又は亜）塩素酸ナトリウム希釈部につながり、該外殻筒の側部が前記酸水溶液希釈部につながり、該次亜（又は亜）塩素酸ナトリウム希釈部で生成された次亜（又は亜）塩素酸ナトリウム希釈水が該内殻筒の一方の端部から内部に入り、該複数個の孔を通って該内殻筒と該外殻筒の間の空間内に放出され、該酸水溶液希釈部で生成された酸水溶液希釈水が該内殻筒と該外殻筒の間の空間内に直接流入するようになっているものを使用することができる。
【００１７】
また、前記混合反応部としては、外殻筒と、該外殻筒内に略同軸に挿入された内殻筒とを備え、該内殻筒が周面に複数個の孔を有し、該内殻筒の一方の端部側が前記酸水溶液希釈部につながり、該外殻筒の側部が次亜（又は亜）塩素酸ナトリウム希釈部につながり、前記酸水溶液希釈部で生成された酸水溶液希釈水が該内殻筒の一方の端部から内部に入り、該複数個の孔を通って該内殻筒と該外殻筒の間の空間内に放出され、前記次亜（又は亜）塩素酸ナトリウム希釈部で生成された次亜（又は亜）塩素酸ナトリウム希釈水が該内殻筒と該外殻筒の間の空間内に直接流入するようになっているものを使用してもよい。
【００１８】
また、前記次亜（又は亜）塩素酸ナトリウムポンプから前記次亜（又は亜）塩素酸ナトリウムタンクに含次亜（又は亜）塩素酸ナトリウム水溶液を戻す次亜（又は亜）塩素酸ナトリウム戻し管路と、該次亜（又は亜）塩素酸ナトリウム戻し管路に設けられた次亜（又は亜）塩素酸ナトリウム戻し弁と、前記ｐＨ値測定装置によって得られたｐＨ値が所定値以下となった場合に該次亜（又は亜）塩素酸ナトリウム戻し弁を所定時間開状態にした後、閉状態にする次亜（又は亜）塩素酸ナトリウム戻し弁制御部とを備えてもよい。
【００１９】
また、前記酸水溶液ポンプから前記酸水溶液タンクに酸水溶液を戻す酸水溶液戻し管路と、該酸水溶液戻し管路に設けられた酸水溶液戻し弁と、前記ｐＨ値測定装置によって得られたｐＨ値が所定値以上となった場合に該酸水溶液戻し弁を所定時間開状態にした後、閉状態にする酸水溶液戻し弁制御部とを備えてもよい。
【００２０】
また、設定した所定の時間帯に前記次亜（又は亜）塩素酸ナトリウムポンプを停止させた状態で、前記酸水溶液ポンプを駆動させて一定流量の酸水溶液を注入させ、殺菌水を一定流量で生成・排出させ、該殺菌水のｐＨ値を前記ｐＨ測定装置で測定し、予め設定した基準ｐＨ値からのずれを検出した場合に、該ｐＨ測定装置に関する指示及び／又は警報を表示部に表示させるｐＨ測定装置管理部を備えてもよい。
【００２１】
また、設定した所定の時間帯に前記酸水溶液ポンプを駆動させて一定流量の酸水溶液を注入させ、前記次亜（又は亜）塩素酸ナトリウムポンプを駆動させて一定流量の含次亜（又は亜）塩素酸ナトリウム水溶液を注入させ、殺菌水を一定流量で生成・排出させ、該殺菌水のｐＨ値を前記ｐＨ測定装置で測定し、予め設定した基準ｐＨ値になるように含次亜（又は亜）塩素酸ナトリウム水溶液の注入量を調整する次亜（又は亜）塩素酸ナトリウム量制御部を備えてもよい。
【００２２】
また、炭酸水素ナトリウムを貯蔵している炭酸水素ナトリウムタンクと、前記水供給源から供給された水及び該炭酸水素ナトリウムタンクから供給された炭酸水素ナトリウムを混合して炭酸水素ナトリウム希釈水を生成し、該炭酸水素ナトリウム希釈水を前記次亜（又は亜）塩素酸ナトリウム希釈部に供給する炭酸水素ナトリウム希釈部と、該炭酸水素ナトリウムタンクから該炭酸水素ナトリウム希釈部に炭酸水素ナトリウム水溶液を供給する炭酸水素ナトリウム注入ポンプと、流量計の計測値と、あらかじめ定めた水量及び炭酸水素ナトリウム水溶液の量との関係から必要な炭酸水素ナトリウム水溶液の量を算出して該炭酸水素ナトリウム注入ポンプから該炭酸水素ナトリウム希釈部に必要な量の炭酸水素ナトリウム水溶液を供給させる炭酸水素ナトリウム注入ポンプ制御部とを次亜（又は亜）塩素酸ナトリウム希釈部の前に設けてもよい。
【００２３】
また、前記炭酸水素ナトリウム希釈部は、外殻筒と、該外殻筒内に略同軸に挿入された内殻筒とを備え、該内殻筒は周面に複数個の孔を有し、炭酸水素ナトリウム水溶液と水は該内殻筒の該複数個の孔を通って該内殻筒と該外殻筒の間の空間内に放出されるようにしてもよい。
【００２４】
また、前記次亜（又は亜）塩素酸ナトリウムタンク、前記酸水溶液タンク及び前記炭酸水素ナトリウムタンクの全部又は一部に液無しセンサーが各々取り付けられ、少なくともいずれかの液無しセンサーが液無しを検知した場合、前記給水停止弁制御部が液無しセンサーからの液無しの信号で前記給水停止弁を閉状態にするようにしてもよい。
【００２５】
【発明の実施の形態】
図１はこの発明の一実施の形態に係る殺菌水の連続生成装置の構成を示す説明図、図２はこの発明の一実施の形態に係る殺菌水の連続生成装置の炭酸水素ナトリウム希釈部、次亜（又は亜）塩素酸ナトリウム希釈部又は酸水溶液希釈部の内部構造を示す説明図、図３はこの発明の一実施の形態に係る殺菌水の連続生成装置の戻し配管に関する説明図、図４はこの発明の一実施の形態に係る殺菌水の連続生成装置の混合反応部の説明図である。
【００２６】
以下、この発明の一実施の形態に係る殺菌水の連続生成装置の構成を図１を中心にし、他の図を補助的に用いながら説明する。
【００２７】
図１において、１０は水供給源（例：水道配管の端部）であり、水供給源１０から所定の長さに亘って第１配管１２が設けられている。第１配管１２には水供給源１０に近い方から、減圧弁１４、フィルター１６、流量計１８及び給水停止弁２０がこの順に設けられている。
【００２８】
減圧弁１４は第１配管１２及び後述する各配管の管内の圧力を所定圧力以下、例えば２．５ｋｇ以下に保ち、後述するｐＨ値測定装置９４の電極の破損を防止したり、薬液（炭酸水素ナトリウム水溶液、含次亜（又は亜）塩素酸ナトリウム水溶液、希塩酸水溶液）注入のタイミングのずれによる殺菌水の成分組成やｐＨ値のずれを防止するために設けられている。
【００２９】
フィルター１６は水供給源１０から供給された水の中のゴミを除去し、主として下流に設けられた流量計１８が計測誤差を生じさせないようにするために設けられている。
【００３０】
流量計１８はこの殺菌水の連続生成装置に供給される全水量を計測するために設けられており、後述する制御装置１００に接続されている。流量計１８は、この例では羽根車式の電子式流量測定機を使用し、流量計１８で得られた流量データは後述する制御装置１００にパルス信号で送られるようになっている。
【００３１】
給水停止弁２０は、生成された殺菌水のｐＨ値が所定範囲を外れた場合、殺菌水の生成・供給を止めさせるために設けられている。給水停止弁２０は後述する制御装置１００に接続され、制御されている。
【００３２】
第１配管１２の先端部は２つに分岐し、一方は炭酸水素ナトリウム希釈部２２の入側に至る第２配管２４に、他方は酸水溶液希釈部２６の入側に至る第３配管２８になっている。
【００３３】
第２配管２４には水供給源１０に近い方から、逆流防止弁３０及び炭酸水素ナトリウム注入チャッキ３２がこの順に設けられている。
【００３４】
逆流防止弁３０は、炭酸水素ナトリウム注入チャッキ３２から注入された炭酸水素ナトリウム水溶液（比重が水より大きい）が第２配管２４内を逆流し、流量計等の計測機類を痛めたり、水道配管内に入ってしまう事故を防ぐために設けられている。
【００３５】
炭酸水素ナトリウム注入チャッキ３２には炭酸水素ナトリウムタンク３４から配設された第４配管３６の一方の端部が接続されている。第４配管３６の途中には炭酸水素ナトリウムポンプ３８が設けられ、第４配管３６の他方の端部は炭酸水素ナトリウムタンク３４内の炭酸水素ナトリウム水溶液中に浸漬されている。炭酸水素ナトリウムポンプ３８は後述する制御装置１００に接続され、制御されている。
【００３６】
炭酸水素ナトリウム希釈部２２は、図２に示すように、外殻筒４０と、外殻筒４０内に略同軸に挿入された内殻筒４２とからなる。内殻筒４２は周面に複数個の孔４４を有し、内殻筒４２の一方の端部は第２配管２４につながり、他方の端部は閉塞されている。
【００３７】
炭酸水素ナトリウム希釈部２２の出側には次亜（又は亜）塩素酸ナトリウム希釈部４６に至る第５配管４８が設けられ、第５配管４８には逆流防止弁５０及び次亜（又は亜）塩素酸ナトリウム注入チャッキ５２がこの順に設けられている。
【００３８】
逆流防止弁５０は、次亜（又は亜）塩素酸ナトリウム注入チャッキ５２から注入された含次亜（又は亜）塩素酸ナトリウム水溶液（比重が水より大きい）が第５配管４８内を逆流し、流量計等の計測機類を痛めたり、水道配管内に入ってしまう事故を防ぐために設けられている。
【００３９】
次亜（又は亜）塩素酸ナトリウム注入チャッキ５２には次亜（又は亜）塩素酸ナトリウムタンク５４から配設された第６配管５６の一方の端部が接続されている。第６配管５６の途中には次亜（又は亜）塩素酸ナトリウム注入ポンプ５８が設けられ、第６配管５６の他方の端部は次亜（又は亜）塩素酸ナトリウムタンク５４内の含次亜（又は亜）塩素酸ナトリウム水溶液中に浸漬されている。次亜（又は亜）塩素酸ナトリウムポンプ６０は後述する制御装置１００に接続され、制御されている。
【００４０】
第６配管５６には、図３に示すように、次亜（又は亜）塩素酸ナトリウムポンプ６０と次亜（又は亜）塩素酸ナトリウム注入チャッキ５２の間で分岐し、次亜（又は亜）塩素酸ナトリウムタンク５４に戻す次亜（又は亜）塩素酸ナトリウム戻し管路６０が設けられ、次亜（又は亜）塩素酸ナトリウム戻し管路６０の途中には次亜（又は亜）塩素酸ナトリウム戻し弁６２が設けられ、次亜（又は亜）塩素酸ナトリウム戻し弁６２は後述する制御装置１００に接続され、制御されている。
【００４１】
次亜（又は亜）塩素酸ナトリウム希釈部４６は、図２に示すように、外殻筒４０と、外殻筒４０内に略同軸に挿入された内殻筒４２とからなる。内殻筒４２は周面に複数個の孔４４を有し、内殻筒４２の一方の端部は第５配管４８につながり、他方の端部は閉塞されている。
【００４２】
第１配管１２の先端部から分岐した第３配管２８には水供給源１０に近い方から、逆流防止弁６４及び酸水溶液注入チャッキ６６がこの順に設けられている。
【００４３】
逆流防止弁６４は、酸水溶液注入チャッキ６６から注入された酸水溶液（例えば、希塩酸が使用されるが、希塩酸の比重は水より大きい）が第３配管２８内を逆流し、流量計等の計測機類を痛めたり、水道配管内に入ってしまう事故を防ぐために設けられている。
【００４４】
酸水溶液注入チャッキ６６には酸水溶液タンク６８から配設された第７配管７０の一方の端部が接続されている。第７配管７０の途中には酸水溶液ポンプ７４が設けられ、第７配管７０の他方の端部は酸水溶液タンク６８内の酸水溶液（希塩酸）中に浸漬されている。酸水溶液ポンプ７４は後述する制御装置１００に接続され、制御されている。
【００４５】
第７配管７０には、図３に示すように、酸水溶液ポンプ７４と酸水溶液注入チャッキ６６の間で分岐し、酸水溶液タンク６８に戻す酸水溶液戻し管路７４が接続され、酸水溶液戻し管路７４の途中には酸水溶液戻し弁７６が設けられ、酸水溶液戻し弁７６は後述する制御装置１００に接続され、制御されている。
【００４６】
酸水溶液希釈部２６は、図２に示すように、外殻筒４０と、外殻筒４０内に略同軸に挿入された内殻筒４２とを備え、内殻筒４２は周面に複数個の孔４４を有し、内殻筒４２の一方の端部側は第３配管２８につながっている。
【００４７】
次亜（又は亜）塩素酸ナトリウム希釈部４６の出側には混合反応部７８に至る第８配管８０が、酸水溶液希釈部２６の出側には混合反応部７８に至る第９配管８２が各々設けられている。
【００４８】
混合反応部７８は、図４に示すように、外殻筒８４と、外殻筒８４内に略同軸に挿入された内殻筒８６とを備え、内殻筒８６は周面に複数個の孔８８を有し、内殻筒８６の一方の端部側は第８配管８０につながり、外殻筒８４の側部は第９配管８２につながっている。
【００４９】
そして、次亜（又は亜）塩素酸ナトリウム希釈部４６で生成された次亜（又は亜）塩素酸ナトリウム希釈水は内殻筒８６の複数個の孔８８を通って内殻筒８６と外殻筒８４の間の空間内に放出され、酸水溶液希釈部２６で生成された酸水溶液希釈水（希塩酸希釈水）は内殻筒８６と外殻筒８４の間の空間内に直接流入するようになっている。
【００５０】
混合反応部７８は、酸水溶液希釈部２６で生成された酸水溶液希釈水（希塩酸希釈水）が内殻筒８６の複数個の孔８８を通って内殻筒８６と外殻筒８４の間の空間内に放出され、次亜（又は亜）塩素酸ナトリウム希釈部４６で生成された次亜（又は亜）塩素酸ナトリウム希釈水が内殻筒８６と外殻筒８４の間の空間内に直接流入するようにしてもよい。
【００５１】
混合反応部７８から吐出口９０までは第１０配管９２が設けられ、第１０配管９２にはｐＨ値測定装置９４が設けられ、生成された殺菌水のｐＨが測定されるようになっている。そして、ｐＨ値測定装置９４で得られたｐＨ値データは後述する制御装置１００にパルス信号で送られるようになっている。また、第１０配管９２には吐出口９０の手前に排水ドレン用の三方弁１２８が設けられている。
【００５２】
次亜（又は亜）塩素酸ナトリウムタンク５４、酸水溶液タンク６８及び炭酸水素ナトリウムタンク３４には液なしセンサー１２６が各々取り付けられ、少なくともいずれかの液なしセンサー１２６が液無しを検知した場合、給水停止弁制御部１１２が液なしセンサー１２６からの液無しの信号で給水停止弁２０を閉状態にするようになっている。
【００５３】
次に、この殺菌水の連続生成装置によって殺菌水を生成する場合の生成工程について説明する。
【００５４】
まず、水供給源１０から第１配管１２に供給された水は減圧弁１４で２．５ｋｇｆ程度の圧力に減圧され、フィルター１６でゴミを濾過された後、流量計１８を通過する。流量計１８では通過する水の流量が電子的に計測され、計測された水の流量データは制御装置１００に送られる。
【００５５】
流量計８を通過した水は給水停止弁２０を通り、その先で第２配管２４と第３配管２８に分岐し、各配管２４，２８に各々入る。
【００５６】
第２配管２４に入った水は逆流防止弁３０及び炭酸水素ナトリウム注入チャッキ３２を通り、炭酸水素ナトリウム希釈部２２に入る。炭酸水素ナトリウム注入チャッキ３２では第２配管２４内を通過する水の中に所定量の炭酸水素ナトリウム水溶液が連続的に注入される。炭酸水素ナトリウム水溶液は炭酸水素ナトリウムタンク３４に貯蔵されており、第４配管３６及び炭酸水素ナトリウムポンプ３８により炭酸水素ナトリウム注入チャッキ３２に供給される。
【００５７】
炭酸水素ナトリウム注入チャッキ３２で炭酸水素ナトリウム水溶液を注入された水は炭酸水素ナトリウム希釈部２２の内殻筒４２内に入り、内殻筒４２内から複数個の孔４４を通って内殻筒４２と外殻筒４０の間の空間内に放出され、拡散・混合する。
【００５８】
炭酸水素ナトリウム水溶液を加えた水は第５配管４８に入り、逆流防止弁５０、次亜（又は亜）塩素酸ナトリウム注入チャッキ５２を通り、次亜（又は亜）塩素酸ナトリウム希釈部４６に入る。次亜（又は亜）塩素酸ナトリウム注入チャッキ５２では第５配管４８内を通過する水の中に所定量の含次亜（又は亜）塩素酸ナトリウム水溶液が連続的に注入される。含次亜（又は亜）塩素酸ナトリウム水溶液は次亜（又は亜）塩素酸ナトリウムタンク５４に貯蔵されており、第６配管５６及び次亜（又は亜）塩素酸ナトリウムポンプ６０により次亜（又は亜）塩素酸ナトリウム注入チャッキ５２に供給される。
【００５９】
含次亜（又は亜）塩素酸ナトリウム水溶液を次亜（又は亜）塩素酸ナトリウム注入チャッキ５２に注入した際に、水の中に含まれるカルシウム等が析出し、次亜（又は亜）塩素酸ナトリウム注入チャッキ５２を閉塞させるおそれがあるが、供給されている水に炭酸水素ナトリウム水溶液が予め溶解させてあるので、そのような不具合は生じない。
【００６０】
次亜（又は亜）塩素酸ナトリウム注入チャッキ５２で含次亜（又は亜）塩素酸ナトリウム水溶液を注入された水は、図２に矢印で示すように、次亜（又は亜）塩素酸ナトリウム希釈部４６の内殻筒４２内に入り、内殻筒４２内から複数個の孔４４を通って内殻筒４２と外殻筒４０の間の空間内に放出され、拡散・混合する。
【００６１】
次亜（又は亜）塩素酸ナトリウム希釈部４６で含次亜（又は亜）塩素酸ナトリウム水溶液を注入された水は第８配管８０を通って混合反応部７８に送られる。
【００６２】
他方、第３配管２８に入った水は逆流防止弁３０及び酸水溶液注入チャッキ６６を通って酸水溶液希釈部２６に入る。酸水溶液注入チャッキ６６では第３配管２８を通過する水の中に酸水溶液（例えば、希塩酸又は酢酸等）が注入される。酸水溶液は酸水溶液タンク６８に貯蔵されており、第７配管７０及び酸水溶液ポンプ７４によって酸水溶液注入チャッキ６６に供給される。
【００６３】
酸水溶液注入チャッキ６６で酸水溶液を注入された水は、図２に矢印で示すように、酸水溶液希釈部２６の内殻筒４２内に入り、内殻筒４２内から複数個の孔４４を通って内殻筒４２と外殻筒４０の間の空間内に放出され、拡散・混合する。
【００６４】
酸水溶液希釈部２６で酸水溶液を注入された水は第９配管８２を通って混合反応部７８に送られる。
【００６５】
混合反応部７８では次亜（又は亜）塩素酸ナトリウムを注入された水及び酸水溶液を注入された水が混合され、所定のｐＨ範囲の殺菌水が生成される。生成された殺菌水は混合反応部７８から第１０配管９２に連続的に供給され、吐出口（蛇口）９０を開けると所望の殺菌能力を有する水が連続的に提供される。
【００６６】
なお、次亜（又は亜）塩素酸ナトリウム希釈部４６から供給された水には予め炭酸水素ナトリウムが含まれており、混合反応部７８で酸と反応して炭酸イオンを生成させるので、この炭酸イオンがカビ類や真菌類の増殖を抑制する。
【００６７】
図５はこの発明の一実施の形態に係る殺菌水の連続生成装置の制御装置の説明図である。次に、この殺菌水の連続生成装置の制御機構について、図５を参照しながら説明する。
【００６８】
まず、水供給源１０からこの装置に供給された水の流量が流量計１８により計測され、得られた水の流量データが制御装置１００に送られる。また、生成された殺菌水のｐＨ値がｐＨ値測定装置９４により測定され、この測定によって得られたｐＨ値データが制御装置１００に送られる。
【００６９】
制御装置１００の炭酸水素ナトリウム注入ポンプ制御部１０２では、流量計１８から送られてきた流量データと、あらかじめ定めた水量及び炭酸水素ナトリウム量との関係から必要な炭酸水素ナトリウム量を算出して炭酸水素ナトリウム注入ポンプ３８で第２配管２４内に必要な量の炭酸水素ナトリウム水溶液を連続的に注入させる。
【００７０】
制御装置１００の次亜（又は亜）塩素酸ナトリウム注入ポンプ制御部１０４では、流量計１８の計測値と、あらかじめ定めた水量及び含次亜（又は亜）塩素酸ナトリウム水溶液供給量との関係から必要な含次亜（又は亜）塩素酸ナトリウム水溶液供給量を算出し、次亜（又は亜）塩素酸ナトリウム注入ポンプ５８で第５配管４８内に必要な量の含次亜（又は亜）塩素酸ナトリウム水溶液を連続的に注入させる。
【００７１】
制御装置１００の酸水溶液注入ポンプ制御部１０６では、流量計１８の計測値と、あらかじめ定めた水量及び酸水溶液供給量との関係から必要な酸水溶液供給量を算出して酸水溶液注入ポンプ７２で第３配管２８内に必要な量の酸水溶液を連続的に注入させる。
【００７２】
ｐＨ値測定装置９４によって測定されたｐＨ値が所定値以下となった場合は、制御装置１００のｐＨ値管理部１０８が次亜（又は亜）塩素酸ナトリウム戻し弁制御部１１０に次亜（又は亜）塩素酸ナトリウム戻し弁６２を一時的に開状態にさせた後、閉状態にさせる。
【００７３】
次亜（又は亜）塩素酸ナトリウム戻し弁６２を一時的に開状態にさせると、次亜（又は亜）塩素酸ナトリウム注入ポンプ５８及び次亜（又は亜）塩素酸ナトリウム戻し管路６０内を含次亜（又は亜）塩素酸ナトリウム水溶液が大量に流れ、次亜（又は亜）塩素酸ナトリウム注入ポンプ５８を空転させてｐＨ異常を生じさせている可能性のあるエアーが押し流されて排除されるのでｐＨ異常が解消することになる。
【００７４】
この操作によってｐＨ異常が解消しない場合は、制御装置１００のｐＨ値管理部１０８が給水停止弁制御部１１２に給水停止弁２０を閉状態にさせる。
【００７５】
ｐＨ値測定装置９４によって測定されたｐＨ値が所定値以上となった場合は、制御装置１００のｐＨ値管理部１０８が酸水溶液戻し弁制御部１１４に酸水溶液戻し弁７６を一時的に開状態にさせた後、閉状態にさせる。
【００７６】
酸水溶液戻し弁７６を一時的に開状態にさせると、酸水溶液注入ポンプ７２及び酸水溶液戻し管路７４内を酸水溶液（希塩酸希釈水）が大量に流れ、酸水溶液注入ポンプ７２を空転させてｐＨ異常を生じさせている可能性のあるエアーが押し流されて排除されるのでｐＨ異常が解消することになる。
【００７７】
この操作によってｐＨ異常が解消しない場合は、制御装置１００のｐＨ値管理部１０８が給水停止弁制御部１１２に給水停止弁２０を閉状態にさせる。
【００７８】
ｐＨ値測定装置管理部１１６では、タイマー１１８を用い、設定した所定の時間帯、例えば夜中、に次亜（又は亜）塩素酸ナトリウム注入ポンプ５８を停止させ、三方弁１２８を排水ドレン側に切換え、酸水溶液注入ポンプ７２を駆動させて一定流量の酸水溶液を注入させ、殺菌水を一定流量で生成・排出させ、生成された殺菌水のｐＨ値をｐＨ値測定装置９４で測定し、基準ｐＨ値からのずれを検出した場合に、ｐＨ値測定装置９４の再校正の指示を校正表示部１２０に表示させる。
【００７９】
次亜（又は亜）塩素酸ナトリウム量制御部１２２では、タイマー１２４を用い、設定した所定の時間帯に酸水溶液注入ポンプ７２を駆動させて一定流量の酸水溶液を注入させ、次亜（又は亜）塩素酸ナトリウム注入ポンプ５８を駆動させて一定流量の含次亜（又は亜）塩素酸ナトリウム水溶液を注入させ、殺菌水を一定流量で生成・排出させ、生成された殺菌水のｐＨ値をｐＨ値測定装置９４で測定し、基準ｐＨになるように含次亜（又は亜）塩素酸ナトリウム水溶液の注入量を調整する。
【００８０】
【発明の効果】
この発明は、供給される水の圧力変動や生成された殺菌水の吐出量に変動があっても生成された殺菌水のｐＨを弱酸性域に保っておくことができるので、殺菌水の殺菌力の低下を防止して院内感染や食中毒などの事故を防止することができるという効果がある。
【００８１】
また、この発明は、次亜（又は亜）塩素酸ナトリウム希釈水とｐＨ調整用の酸水溶液希釈水とを混合反応させる際に、次亜（又は亜）塩素酸ナトリウム希釈水とｐＨ調整用の酸水溶液希釈水が穏やかに且つ均一に拡散・反応するので、水溶液のｐＨ値が極端に低下し、危険な塩素ガスを発生するおそれがないという効果がある。
【００８２】
また、この発明は、薬剤として使用している含次亜（又は亜）塩素酸ナトリウム水溶液の劣化があっても、所望の殺菌力を有する殺菌水を生成させることができるという効果がある。
【００８３】
また、この発明は、ｐＨ値測定装置の接液部に使用する比較電極の交換時期又は校正時期を自動的に検知することができるという効果がある。
【００８４】
また、この発明は、炭酸水素ナトリウムを注入する場合、カビ類、真菌類に対して安定した殺菌効果を有する殺菌水を生成することができるという効果がある。
【００８５】
また、この発明は、炭酸水素ナトリウムを注入する場合、殺菌水に炭酸水素ナトリウムによる緩衝作用が生じ、弱酸性域でｐＨ値が制御し易くなり、ｐＨ値を安定化させることができるという効果がある。
【００８６】
また、この発明は、逆流防止弁を付けた場合、含次亜（又は亜）塩素酸ナトリウム水溶液の逆流を防止し、計測機の損傷を防止するとともに、次亜（又は亜）塩素酸ナトリウム入りの水が水道配管内に逆流するのを防止することができるという効果がある。
【図面の簡単な説明】
【図１】この発明の一実施の形態に係る殺菌水の連続生成装置の構成を示す説明図である。
【図２】この発明の一実施の形態に係る殺菌水の連続生成装置の炭酸水素ナトリウム希釈部、次亜（又は亜）塩素酸ナトリウム希釈部又は酸水溶液希釈部の内部構造を示す説明図である。
【図３】この発明の一実施の形態に係る殺菌水の連続生成装置の戻し配管に関する説明図である。
【図４】この発明の一実施の形態に係る殺菌水の連続生成装置の混合反応部の説明図である。
【図５】この発明の一実施の形態に係る殺菌水の連続生成装置の制御装置の説明図である。
【符号の説明】
１０  水供給源
１２  第１配管
１４  減圧弁
１６  フィルター
１８  流量計
２０  給水停止弁
２２  炭酸水素ナトリウム希釈部
２４  第２配管
２６  酸水溶液希釈部
２８  第３配管
３０  逆流防止弁
３２  炭酸水素ナトリウム注入チャッキ
３４  炭酸水素ナトリウムタンク
３６  第４配管
３８  炭酸水素ナトリウム注入ポンプ
４０  外殻筒
４２  内殻筒
４４  孔
４６  次亜（又は亜）塩素酸ナトリウム希釈部
４８  第５配管
５０  逆流防止弁
５２  次亜（又は亜）塩素酸ナトリウム注入チャッキ
５４  次亜（又は亜）塩素酸ナトリウムタンク
５６  第６配管
５８  次亜（又は亜）塩素酸ナトリウム注入ポンプ
６０  次亜（又は亜）塩素酸ナトリウム戻し管路
６２  次亜（又は亜）塩素酸ナトリウム戻し弁
６４  逆流防止弁
６６  酸水溶液注入チャッキ
６８  酸水溶液タンク
７０  第７配管
７２  酸水溶液注入ポンプ
７４  酸水溶液戻し管路
７６  酸水溶液戻し弁
７８  混合反応部
８０  第８配管
８２  第９配管
８４  外殻筒
８６  内殻筒
８８  孔
９０  吐出口
９２  第１０配管
９４  ｐＨ値測定装置
１００  制御装置
１０２  炭酸水素ナトリウム注入ポンプ制御部
１０４  次亜（又は亜）塩素酸ナトリウム注入ポンプ制御部
１０６  酸水溶液注入ポンプ制御部
１０８  ｐＨ値管理部
１１０  次亜（又は亜）塩素酸ナトリウム戻し弁制御部
１１２  給水停止弁制御部
１１４  酸水溶液戻し弁制御部
１１６  ｐＨ値測定装置管理部
１１８  タイマー
１２０  校正表示部
１２２  次亜（又は亜）塩素酸ナトリウム量制御部
１２４  タイマー
１２６  液なしセンサー
１２８  三方弁
【図１】
0004809535.tif 000002
【図２】
0004809535.tif 000003
【図３】
0004809535.tif 000004
【図４】
0004809535.tif 000005
【図５】
0004809535.tif 000006